(57)【要約】【課題】屋根上もしくは軒天井またはそれら周辺に設置される機器の配線を軒天井に収納でき、配線の露出を抑えた良好な外観を実現できる軒先構造を提供する。【解決手段】軒先に配置される鼻隠し２４から外壁面５０にいたる軒天井２５に、屋根上もしくは軒天井またはそれら周辺に設置される機器の配線２を収納する、長手方向に沿って開口９を有する断面略コ字形状の長尺な配線収納部１が設けられている。【選択図】図１
2011127407.tif 000002
【特許請求の範囲】
【請求項１】
軒先に配置される鼻隠しから外壁面にいたる軒天井に、屋根上もしくは軒天井またはそれら周辺に設置される機器の配線を収納する、長手方向に沿って開口を有する断面略コ字形状の長尺な配線収納部が設けられていることを特徴とする軒先構造。
【請求項２】
配線収納部が、軒長さ方向に沿って鼻隠しに隣接して設けられていることを特徴とする請求項１に記載の軒先構造。
【請求項３】
配線収納部の開口を覆うカバー体を備え、カバー体には配線収納部の開口縁部に係合する係止突起が突設されていることを特徴とする請求項１または２に記載の軒先構造。
【請求項４】
配線収納部の下面が軒天井面と同一面または略同一面上に形成されていることを特徴とする請求項１から３のいずれか一項に記載の軒先構造。
【請求項５】
鼻隠しの下部が切り欠かれて配線収納部に連通する配線導入部が鼻隠しに形成されていることを特徴とする請求項１に記載の軒先構造。
【発明の詳細な説明】
【技術分野】
【０００１】
本発明は、軒先構造に関する。
【背景技術】
【０００２】
従来から、軒先に配置される鼻隠しから外壁面にいたる軒天井に、建物への侵入者を検知する侵入者検知装置のセンサ部等の機器が設置されたり（例えば、特許文献１参照）、屋根上に設置されるアンテナや太陽光発電機等の機器が設置されることがある。その際、図８に示すように、屋外の機器からの配線２が軒樋４０と軒天井２５の外側を経由して外壁面５０まで誘導されて屋内に導入されることがある。この場合、機器の配線２が軒下に垂れ下がった状態になるため外観上見苦しい。また、太陽光や雨水等により配線２自身が耐候劣化したり、強風等により配線２が暴れたりする等、安全面での問題が指摘される。
【０００３】
そこで、軒樋に筒状の配線用配管を設け、機器からの配線をその配線用配管に挿通させて屋内に導入することが提案されている（例えば、特許文献２参照）。この場合、機器からの配線の屋外露出が少なくなり、配線の耐候劣化や強風等による配線の暴れ等の危険が低減する。
【先行技術文献】
【特許文献】
【０００４】
【特許文献１】特開平９−２３７３８６号公報
【特許文献２】特開２００３−１３８７０３号公報
【発明の概要】
【発明が解決しようとする課題】
【０００５】
しかしながら、配線用配管に挿通させる配線が屋根上に設置されている機器からの配線に限定されること、配線用配管自体が外部から見えるので依然として外観が損なわれてしまう場合があること等の問題があった。
【０００６】
本発明は以上の通りの事情に鑑みてなされたものであり、屋根上もしくは軒天井またはそれら周辺に設置される機器の配線を軒天井に収納でき、配線の露出を抑えた良好な外観を実現できる軒先構造を提供することを課題としている。
【課題を解決するための手段】
【０００７】
本発明は以下のことを特徴としている。
【０００８】
第１に、本発明の軒先構造は、軒先に配置される鼻隠しから外壁面にいたる軒天井に、屋根上もしくは軒天井またはそれら周辺に設置される機器の配線を収納する、長手方向に沿って開口を有する断面略コ字形状の長尺な配線収納部が設けられている。
【０００９】
第２に、上記第１の発明において、配線収納部が、軒長さ方向に沿って鼻隠しに隣接して設けられている。
【００１０】
第３に、上記第１または第２の発明において、配線収納部の開口を覆うカバー体を備え、カバー体には配線収納部の開口縁部に係合する係止突起が突設されている。
【００１１】
第４に、上記第１から第３のいずれかの発明において、配線収納部の下面が軒天井面と同一面または略同一面上に形成されている。
【００１２】
第５に、上記第１の発明において、鼻隠しの下部が切り欠かれて配線収納部に連通する配線導入部が鼻隠しに形成されている。
【発明の効果】
【００１３】
第１の発明によれば、屋根上もしくは軒天井またはそれら周辺に設置される機器からの配線が軒天井に設けた配線収納部に収納されるので、配線の露出が抑えられ、すっきりした良好な外観を実現できる。また、太陽光や雨水等による配線自身の耐候劣化を防ぐことができ、強風によって配線が暴れる危険もないので安全性が確保される。さらにまた、鼻隠しに軒樋が取り付けられた状態でも、機器の設置箇所に制限されることなく省施工で機器からの配線を収納することができる。配線収納部は開口を有しているので、配線の収納が容易であり、様々なサイズ（太さ）の配線や複数本の配線の収納が可能である。補修のための配線収納部からの配線の取り外しも容易になり、優れたメンテナンス性を有する。
【００１４】
第２の発明によれば、機器からの配線を軒長さ方向に沿って収納することができる。
【００１５】
第３の発明によれば、カバー体を備えているので、軒下から見た状態においても配線が見えず、さらに良好な外観を実現できる。また、カバー体を押し込むことで簡単に配線収納部に取り付けて固定させることができる。
【００１６】
第４の発明によれば、配線収納部が軒天井面から突出されていないので、より一層すっきりとした良好な外観を実現できる。
【００１７】
第５の発明によれば、鼻隠しを跨ぐことなく屋根上に設置された機器からの配線を配線導入部を介して配線収納部に直接導入することができる。このため、機器の配線の露出をさらに抑えることができ、配線の耐候劣化等が低減できるほか、さらに良好な外観を実現できる。
【図面の簡単な説明】
【００１８】
【図１】本発明の軒先構造の一実施形態を示す断面図である。
【図２】図１の軒先構造の斜視図である。
【図３】図１の軒先構造における配線収納部本体とカバー体の分解断面図である。
【図４】本発明の軒先構造の別の実施形態を示した斜視図である。
【図５】図４の軒先構造を屋外側から見た正面図である。
【図６】本発明の軒先構造のさらに別の実施形態を示した断面図である。
【図７】本発明の軒先構造における配線収納部の別の実施形態を示した断面図である。
【図８】従来の軒先構造の断面図である。
【発明を実施するための形態】
【００１９】
以下、本発明の実施の形態を図面を参照して説明する。なお、本実施形態において、「前」は「屋外側」を指し、「後」は「建物側」を指している。
【００２０】
図１、図２はそれぞれ本発明の軒先構造の一実施形態を示す断面図、斜視図である。図３は図１の軒先構造における配線収納部本体とカバー体の分解断面図である。なお、図２では鼻隠しに取り付けられた軒樋吊具および軒樋を省略している。
【００２１】
図１、図２に示すように、垂木２０の上に野地板２１が張設され、その上に屋根材２２が設けられている。垂木２０の前部には鼻隠し２４が垂設され、野地板２１の先端には水切り２３が設けられている。鼻隠し２４の前面２４ａには、軒樋吊具３０が取り付け固定されており、その軒樋吊具３０によって軒樋４０が支持されている。軒天井２５は、鼻隠し２４の後側に鼻隠し２４から外壁面５０にわたって形成されており、配線収納部１は、軒天井材２６と鼻隠し２４との間に挟持され、軒長さ方向に沿って鼻隠し２４の後面に隣接して配設されている。
【００２２】
鼻隠し２４に取り付けられる軒樋吊具３０は、左右中央部から前方に突設される腕部３１を有する、鼻隠し２４前面２４ａに沿わせる板状の固定部３２と、この固定部３２の腕部３１に前後方向にスライドして前後方向の任意の位置に位置決め可能にされる軒樋吊部３３とを有している。固定部３２の腕部３１には前方先端が下方に一段下がる段部３４が形成されており、その段部３４に上下に貫通する連結孔が形成され、その連結孔に連結具３５を挿通して軒樋４０を支持する軒樋吊部３３が連結されている。軒樋吊部３３は、軒樋４０を内側から支持することができるように、前端部上端には、軒樋４０の前壁４１上端部に設けられた前耳部４２を係止して支持する前側係止部３６を有し、後端部下側には、軒樋４０の後壁４３上端部に設けられた後耳部４４を係止して支持する後側係止部３７を有している。固定部３２には中央の腕部３１の左右両側にそれぞれ貫通孔が穿設されており、前方からネジやビス等の固定具を挿通して鼻隠し２４に打入することで、鼻隠し２４に固定される。
【００２３】
軒樋４０は長尺部材であり、鼻隠し２４の前面２４ａにおける軒長さ方向の複数個所に取り付けた複数の軒樋吊具３０によって、その長さ方向の複数箇所が支持されている。
【００２４】
配線収納部１は、長尺な配線収納部本体３で構成されており、配線収納部本体３は、合成樹脂製材料または金属製材料等から形成され、軒天井２５とは別体として構成されている。配線収納部本体３は、上板部４とその前後にそれぞれ側板部５と側板部６とを備えており、断面略コ字形状を有している。配線収納部本体３の下部には、対向する一対の平板状の底板部７，底板部８が上板部４と略平行に形成され、向かい合う底板部７と底板部８との間に長手方向にわたって下方に開口９が形成されている。底板部７および底板部８はそれぞれ、側板部５および側板部６の下端より後述するカバー体１０の厚さの分だけやや上側の位置において長手方向全体に内側方向に対向して突設されている。
【００２５】
本実施形態では、配線収納部本体３の長手方向に形成されている開口９により、屋根上もしくは軒天井２５またはそれら周辺に設置されるアンテナ、太陽光発電機、エアコン室外機等の機器からの配線２の出し入れが容易になり、配線収納部本体３内部への配線２の収納が簡単に行えるようになっている。配線収納部本体３に収納された配線２の外方への取り出しも簡単に行えるようになっており、メンテナンス性に優れている。また、様々なサイズ（太さ）の配線２や複数本の配線２の収納が可能である。このように本実施形態では機器からの配線２が配線収納部本体３内部に収納できるので、すっきりした良好な外観を実現できる。
【００２６】
本実施形態の配線収納部１には、配線収納部本体３の開口９を覆う長尺なカバー体１０が設けられている。カバー体１０は特に必須ではないが、カバー体１０を備えることで軒下から軒先を見た際には配線２が見えず、また配線２の屋外暴露を抑えることができ、配線２の耐候劣化や強風等による配線２の暴れを防ぐことができるので好ましい。また配線収納部本体３内部に機器からの配線２を確実に収納でき、良好な外観を実現できる。カバー体１０は合成樹脂製材料または金属製材料等から形成されたものであり、配線収納部１を外観上目立たさないようにするために、配線収納部本体３とカバー体１０を軒天井２５と同色、同質とすることが望ましい。
【００２７】
カバー体１０には、図３に示すように、配線収納部本体３の開口９縁部１４，１４に係合する一対の係止突起１１，１１が平板状のカバー部１７に長手方向にわたって連続して突設されており、配線収納部本体３に着脱自在なカバー体１０が形成されている。各係止突起１１は、上方に立設した起立部１２とその上端部に形成されている断面略三角形状の爪部１３とから構成されている。カバー体１０が配線収納部本体３に取り付けられた状態においては、各係止突起１１は、配線収納部本体３の開口９の外側部分に配置され、底板部７および底板部８上面の開口側の縁部１４に各係止突起１１の爪部１３の底面部分１５が係合している。各係止突起１１の爪部１３は、外側面が傾斜平面１６であるため、カバー体１０を配線収納部本体３に取り付けるにあたっては、係止突起１１，１１をそれぞれ配線収納部本体３の開口９に差し込み、次いで押し込むことにより簡単に取り付けて固定することができる。すなわち、配線収納部本体３の開口９にカバー体１０の各係止突起１１を差し込んでカバー体１０を押し込むと、各爪部１３の傾斜平面１６が配線収納部本体３の底板部７または底板部８と当接して応力が加わるので各係止突起１１が内側方向に撓む。さらにカバー体１０を押し込み、各係止突起１１を完全に配線収納部本体３の開口９に差し込むと、各爪部１３が配線収納部本体３の開口９を通過して配線収納部本体３の底板部７または底板部８からの応力から解放され、各係止突起１１の内側方向の撓みが復元する。各係止突起１１の撓みが復元すると、底板部７および底板部８上面の開口側の縁部１４に各爪部１３の各底面部分１５が係合してカバー体１０が配線収納部本体３に取り付け固定される。
【００２８】
本実施形態では、配線収納部本体３にカバー体１０が取り付けられた状態において、カバー体１０のカバー部１７の下面、側板部５と側板部６の下端が、軒天井面２５ａと鼻隠し２４の下端と同一面または略同一面上に形成されている。このような構成の軒先構造においては、配線収納部１が軒天井面２５ａから突出されていないので、より一層すっきりとした良好な外観が実現される。配線収納部本体３の軒天井２５への取り付けにあたっては、例えば、配線収納部本体３の側板部６にネジやビス等の固定具を内側から軒天井材２６に打入することにより取り付け固定することができる。また配線収納部本体３の側板部５にも内側からネジやビス等の固着具を鼻隠し２４に打入して鼻隠し２４側にも取り付け固定することができる。
【００２９】
図４は、本発明の軒先構造の別の実施形態を示した斜視図であり、図５は、図４の軒先構造を屋外側から見た正面図である。図４および図５に示した軒先構造において図１−図３に示した軒先構造と同じ部分には同一の符号を付し、その説明を省略する。なお、図４、図５では鼻隠しに取り付けられた軒樋吊具および軒樋を省略している。
【００３０】
本実施形態では、軒天井２５の奥行き方向に配線収納部１が配設されており、鼻隠し２４の下部の一部が切り欠かれて配線収納部１に連通する配線導入部１８が鼻隠し２４に形成されている。具体的には、配線収納部１を構成する配線収納部本体３の外形形状に略一致するように鼻隠し２４の下部が断面略コ字形状に切り欠かれており、その部分に配線収納部本体３の屋外側の端部が設置されている。配線収納部本体３にはカバー体１０が取り付けられており、上記した実施形態と同様、カバー体１０のカバー部１７の下面、側板部５と側板部６の下端が、軒天井面２５ａと鼻隠し２４の下端と同一面または略同一面上に形成されている。
【００３１】
この実施形態によれば、屋根上に設置された機器からの配線２を配線収納部１に収納する際、鼻隠し２４を跨ぐことなく鼻隠し２４の配線導入部１８を介して配線収納部１に配線２を直接導入して軒天井２５に収納することができる。このため、機器の配線２の露出をさらに抑えることができ、配線２の耐候劣化等をより一層抑制できるほか、さらに良好な外観を実現できる。
【００３２】
また本実施形態のような、鼻隠し２４の下部の一部が切り欠かれて配線導入部１８と連通する軒天井２５奥行き方向に配設した配線収納部１と、軒長さ方向に沿って配設した配線収納部１とを組合わせた配線収納部１を軒天井２５に配設してもよい。この場合、軒天井２５の奥行き方向に配設した配線収納部１と軒長さ方向に沿って配設した配線収納部１の交差する部分では配線収納部１内部が互いに連通するように形成される。
【００３３】
以上、実施形態に基づき本発明を説明したが、本発明は上記の実施形態に何ら限定されるものではなく、その要旨を逸脱しない範囲内において各種の変更が可能である。上記実施形態はいずれも配線収納部の下面が軒天井面と略同一面に形成されている構成であるが、例えば、図６に示すように、下方に開口９する断面略コ字形状の配線収納部本体３の上板部４にネジやビス等の固定具１９を内側から軒天井材２６に打入して軒天井面２５ａに取り付けられていてもよい。この構成は、鼻隠しに軒樋が取り付けられた状態であっても、配線収納部を軒天井に省施工かつ容易に取り付けることができ、簡単な構成で機器からの配線を収納することができる利点を有する。また配線収納部の形状についても下方に開口する形状に限定されず、図７に示すように、側方に開口９，９を有する一対の断面略コ字形状の配線収納部本体３，３が左右対称に一体になっている構成としてもよい。この構成は、屋根上やその周辺に設置された機器からの配線と、軒天井やその周辺に設置された機器からの配線をそれぞれ左右の開口から配線収納部本体内部に導入して双方の配線を一つの配線収納部内に収納できる利点を有する。
【符号の説明】
【００３４】
１  配線収納部
２  配線
３  配線収納部本体
９  開口
１０  カバー体
１８  配線導入部
２４  鼻隠し
２５  軒天井
５０  外壁面
【図１】
2011127407.tif 000003
【図２】
2011127407.tif 000004
【図３】
2011127407.tif 000005
【図４】
2011127407.tif 000006
【図５】
2011127407.tif 000007
【図６】
2011127407.tif 000008
【図７】
2011127407.tif 000009
【図８】
2011127407.tif 000010